(57)【要約】【課題】竪材の見込み面に載置物を連結載置する際に、載置物の重量による垂れ下がりを抑えた受け金具の提供を目的とする。【解決手段】受け金具は、基板部と、被載置板部と、挿入板部とを備え、基板部は竪材の見込み面への当接部と、竪材の見込み面に設けた嵌合孔に嵌る嵌合突部と、竪材の見込み面に止める固定具を挿通する固定具取付孔とを有し、被載置板部は基板部から竪材見込み面の反対方向に突設して載置物を載せてあり、挿入板部は竪材の見込み面に設けた縦スリット部に挿入し、竪材の見付け面に設けた取付孔を挿入板部と載置物に設けた固定ブラケットとで挟持固定してあり、挿入板部の下端は竪材の縦スリット部の下端に当接し、嵌合突部の下端は竪材の嵌合孔の下端に当接している。【選択図】  図１
2006241808.tif 000002
【特許請求の範囲】
【請求項１】
基板部と、被載置板部と、挿入板部とを備え、
基板部は、竪材の見込み面への当接部と、竪材の見込み面に設けた嵌合孔に嵌る嵌合突部と、竪材の見込み面に止める固定具を挿通する固定具取付孔とを有し、竪材の見込み面に固定具により止めてあり、
被載置板部は、基板部から竪材見込み面の反対方向に突設して載置物を載せてあり、
挿入板部は、見付け面に取付ネジ孔を有し且つ竪材の見込み面に設けた縦スリット部から竪材内に挿入したものであり、竪材見付け面の取付孔を挿通し、取付ネジ孔に螺合する固定具により載置物の竪材見付け面前方にはみ出した部分を固定してあり、
挿入板部の下端が竪材の縦スリット部の下端に当接し、嵌合突部の下端が竪材の嵌合孔の下端に当接していることを特徴とする受け金具。
【発明の詳細な説明】
【技術分野】
【０００１】
本発明は、竪材の側部にシャッター本体などの載置物を取付けるために使用する受け金具に関する。
【背景技術】
【０００２】
竪材の側部に受け金具にて載置物を連結載置する場合に、従来は例えば図４に示すように、竪材１００の裏側から裏板１０２をあて、受け金具１０１を固定ねじ１０３で固定し、受け金具に載置物側のブラケット１０４を載置し、竪材１００と取り付けブラケット１０５を固定具１０６にてねじ止めしていた。
しかし、この従来の受け金具にあっては、受け金具を竪材に取り付けるのに裏板が必要な点で部品が多く、載置物の重量により生じるモーメントが固定ねじ１０３に集中負荷する点で載置物が下がる原因となっていた。
また、特開２００３−１９３７６８号公報には、竪枠に取付金具を取り付け、シャッター本体のブラケットと連結固定する技術を開示するが、取付金具にシャッター本体の重量が負荷して垂れ下がりモーメントが生じるものである。
【０００３】
【特許文献１】特開２００３−１９３７６８号公報
【発明の開示】
【発明が解決しようとする課題】
【０００４】
本発明は、上記背景技術に鑑みて、竪材の側部に載置物を連結載置する際に、載置物の重量による垂れ下がりを抑えた受け金具の提供を目的とする。
【課題を解決するための手段】
【０００５】
本発明は上記課題を解決するために、受け金具は、基板部と、被載置板部と、挿入板部とを備え、基板部は、竪材の見込み面への当接部と、竪材の見込み面に設けた嵌合孔に嵌る嵌合突部と、竪材の見込み面に止める固定具を挿通する固定具取付孔とを有し、竪材の見込み面に固定具により止めてあり、被載置板部は、基板部から竪材見込み面の反対方向に突設して載置物を載せてあり、挿入板部は、見付け面に取付ネジ孔を有し且つ竪材の見込み面に設けた縦スリット部から竪材内に挿入したものであり、竪材見付け面の取付孔を挿通し、取付ネジ孔に螺合する固定具により載置物の竪材見付け面前方にはみ出した部分を固定してあり、挿入板部の下端が竪材の縦スリット部の下端に当接し、嵌合突部の下端が竪材の嵌合孔の下端に当接していることを特徴とする。
【０００６】
受け金具の挿入板部の下端が竪材に設けた縦スリット部の下端に当接し、受け金具の嵌合突部の下端が竪材に設けた嵌合孔の下端に当接するようにしたので、載置物の重量により生じるモーメントが、基板部を竪材に止めた固定具に集中するのを抑える。
【発明の効果】
【０００７】
本発明においては、竪材に設けた縦スリット部に挿入する挿入板部と、竪材に設けた嵌合孔に嵌る嵌合突部とを受け金具に有するとともに、受け金具の基板部と竪材とを固定具で固定するようにしたので、載置物の重量を竪材の縦スリット部の下端及び嵌合孔の下端にて受けることになり、この縦スリット部下端及び嵌合孔下端を支点としたモーメントは、載置物を止めた固定具及び受け金具の竪材への内掛かり部で受けることになり、受け金具の垂れ下がり変形を防止する。
また、縦スリット部に挿入板部を挿入し、嵌合孔に嵌合突部を嵌め、受け金具の基板部と竪材とを固定具で固定した状態で、挿入板部と、載置物から竪材見付け面前方にはみ出した部分（固定ブラケット）とで竪材の見付け面に設けた取付孔を挟み込むように取り付けるので、載置物を受け金具に載せた上で正面側からネジ止めでき、作業者に重量がかからずシャッター本体等の載置物の取付作業が容易になる。
従来の裏板を用いた受け金具に比較して裏板が不要な部分だけ部品点数が少なく、施工性が向上する。
【発明を実施するための最良の形態】
【０００８】
本発明に係る竪材と載置物との受け金具として、シャッター本体を竪材見込み面に連結載置する例にて説明するが、受け金具は竪材の側部にブラインド本体を取付けることもできる。
【０００９】
図３にシャッター装置を躯体に取り付けた例を示す。
シャッター本体５０は、シャッター本体取付用ブラケット４０を用いてシャッター枠を形成する竪材に取り付けている。
図１にシャッター本体をブラケット４０を用いて載置物４０として竪材１０に連結載置する構造例を示す。
受け金具２０の竪材取付面側から見た斜視図を図１（イ）（ａ）に示し、載置物側から見た斜視図を図１（ｂ）に示す。
受け金具２０には、基板部２１と、被載置板部２２と、挿入板部２３とを有し、基板部は嵌合突部２４と、固定具取付孔２５とを有し、被載置部は基板部から竪材の見込み面反対側に突設し、挿入板部は、取付ネジ孔２６を有している。
受け金具の挿入板部２３を竪材１０の見込み面に形成した縦スリット部１１に差し込み、受け金具の嵌合突部２４を竪材の見込み面に形成した嵌合孔１３に嵌るようにし、受け金具の基板部２１の当接部２７を竪材見込み面に当接し、基板部に設けた固定具取付孔２５と竪材に設けた挿通孔１２にリベット等の固定具３０を挿通して取り付ける。
なお、竪材はアルミ形材等で製作してある。
次に、図１（ロ）に示すように、載置物（シャッター本体）４０の載置部４１を受け金具の被載置板部２２に載せ、竪材１０の見込み面に設けた縦スリット部１１に差し込んだ挿入板部に形成した取付ネジ孔２６と、竪材の見付け面に設けた取付孔１４と載置物の固定ブラケット４２に設けた固定孔４２ａにねじ部材等の固定具３１を挿通（螺合）し、載置物と竪材と受け金具を締結固定する。
なお、載置部４１は、載置物本体に溶接等で取り付け、あるいは、載置物本体から折り曲げて形成し、受け金具の被載置板部２２に載るようになっていて、固定ブラケット４２は、載置物本体から竪材１０の見付け面前方にはみ出すように形成してある。
【００１０】
図２に受け金具２０の製作例を示す。
図２（ａ）、（ｂ）は竪材取付面とは反対側から見た図で、図２（ｃ）、（ｄ）は竪材取付面側から見た図である。
受け金具２０は、図２（ａ）、（ｃ）に示すように金属製の板材をプレス成型等にて外形を打ち抜くとともに、嵌合突部２４、固定具取付孔２５等を成型する。
また、挿入板部２３には、取付ネジ孔２６として雌ねじを加工する。
次に図２（ｂ）、（ｄ）に示すように、部分的に折り曲げて挿入板部２３及び被載置板部２２を形成する。
なお、挿入板部を形成する際に基板部２１に切り欠き２２ｂを形成し、被載置板部２２側に一部突設してこの部分も被載置部２２ａとしてもよい。
【図面の簡単な説明】
【００１１】
【図１】本発明に係る受け金具を用いた竪材と載置物との連結例を示す。
【図２】受け金具の例を示す。
【図３】シャッター本体を竪材に取り付けた例を示す。
【図４】従来の連結構造例を示す。
【符号の説明】
【００１２】
１０    竪材
１１    縦スリット部
１２    挿通孔
１３    嵌合孔
２０    受け金具
２１    基板部
２２    被載置板部
２３    挿入板部
２４    嵌合突部
２５    固定具取付孔
２６    取付ネジ孔
３０、３１    固定具
４０    載置物
【図１】
2006241808.tif 000003
【図２】
2006241808.tif 000004
【図３】
2006241808.tif 000005
【図４】
2006241808.tif 000006
【手続補正書】
【提出日】平成17年4月14日(2005.4.14)
【手続補正１】
【補正対象書類名】特許請求の範囲
【補正対象項目名】全文
【補正方法】変更
【補正の内容】
【特許請求の範囲】
【請求項１】
基板部と、被載置板部と、挿入板部とを備え、
基板部は、竪材の見込み面への当接部と、竪材の見込み面に設けた嵌合孔に嵌る嵌合突部と、竪材の見込み面に止める固定具を挿通する固定具取付孔とを有し、竪材の見込み面に固定具により止めてあり、
被載置板部は、基板部から竪材見込み面の反対方向に突設して載置物を載せてあり、
挿入板部は、見付け面に取付ネジ孔を有し且つ竪材の見込み面に設けた縦スリット部から竪材内に挿入したものであり、竪材見付け面の取付孔を挿通し、取付ネジ孔に螺合する固定具により載置物の竪材見付け面前方にはみ出した部分を固定してあり、
嵌合突部の下端が竪材の嵌合孔の下端に当接していることを特徴とする受け金具。
【手続補正２】
【補正対象書類名】明細書
【補正対象項目名】０００５
【補正方法】変更
【補正の内容】
【０００５】
本発明は上記課題を解決するために、受け金具は、基板部と、被載置板部と、挿入板部とを備え、基板部は、竪材の見込み面への当接部と、竪材の見込み面に設けた嵌合孔に嵌る嵌合突部と、竪材の見込み面に止める固定具を挿通する固定具取付孔とを有し、竪材の見込み面に固定具により止めてあり、被載置板部は、基板部から竪材見込み面の反対方向に突設して載置物を載せてあり、挿入板部は、見付け面に取付ネジ孔を有し且つ竪材の見込み面に設けた縦スリット部から竪材内に挿入したものであり、竪材見付け面の取付孔を挿通し、取付ネジ孔に螺合する固定具により載置物の竪材見付け面前方にはみ出した部分を固定してあり、嵌合突部の下端が竪材の嵌合孔の下端に当接していることを特徴とする。
【手続補正３】
【補正対象書類名】明細書
【補正対象項目名】０００６
【補正方法】変更
【補正の内容】
【０００６】
受け金具の嵌合突部の下端が竪材に設けた嵌合孔の下端に当接するようにしたので、載置物の重量により生じるモーメントが、基板部を竪材に止めた固定具に集中するのを抑える。
【手続補正４】
【補正対象書類名】明細書
【補正対象項目名】０００７
【補正方法】変更
【補正の内容】
【０００７】
本発明においては、竪材に設けた縦スリット部に挿入する挿入板部と、竪材に設けた嵌合孔に嵌る嵌合突部とを受け金具に有するとともに、受け金具の基板部と竪材とを固定具で固定するようにしたので、載置物の重量を嵌合孔の下端にて受けることになり、この嵌合孔下端を支点としたモーメントは、載置物を止めた固定具及び受け金具の竪材への内掛かり部で受けることになり、受け金具の垂れ下がり変形を防止する。
また、縦スリット部に挿入板部を挿入し、嵌合孔に嵌合突部を嵌め、受け金具の基板部と竪材とを固定具で固定した状態で、挿入板部と、載置物から竪材見付け面前方にはみ出した部分（固定ブラケット）とで竪材の見付け面に設けた取付孔を挟み込むように取り付けるので、載置物を受け金具に載せた上で正面側からネジ止めでき、作業者に重量がかからずシャッター本体等の載置物の取付作業が容易になる。
従来の裏板を用いた受け金具に比較して裏板が不要な部分だけ部品点数が少なく、施工性が向上する。